(57)【要約】【課題】操作性を向上すること。【解決手段】１つの態様において、電子機器は、表示部と、視線検出部と、圧力検出部と、制御部とを有する。視線検出部は、視線位置の移動を検出する。圧力検出部は、外部からの圧力を検出する。制御部は、表示部上から表示部外への視線位置の移動が視線検出部により検出されるのに同期して圧力検出部により圧力が検出された場合には、視線位置の移動の方向に対応するフリック操作として処理する。これにより、電子機器は、利用者が電子機器を操作できない状況であっても、利用者による操作を可能とする。【選択図】図１
2016136351.tif 000002
【特許請求の範囲】
【請求項１】
表示部と、
視線位置の移動を検出する視線検出部と、
外部からの圧力を検出する圧力検出部と、
前記表示部上から前記表示部外への前記視線位置の移動が前記視線検出部により検出されるのに同期して前記圧力検出部により前記圧力が検出された場合には、前記視線位置の移動の方向に対応するフリック操作として処理する制御部と
を有する電子機器。
【請求項２】
表示部と、
視線位置の移動を検出する視線検出部と、
外部からの圧力を検出する圧力検出部と、
前記圧力検出部により前記圧力が検出されている間に、前記表示部上から前記表示部外への前記視線位置の移動が前記視線検出部により検出された場合には、前記視線位置の移動の方向に対応するフリック操作として処理する制御部と
を有する電子機器。
【請求項３】
前記圧力検出部を前記電子機器の筐体の側面部に配置した請求項１又は２に記載の電子機器。
【請求項４】
表示部と、視線位置の移動を検出する視線検出部と、外部からの圧力を検出する圧力検出部とを有する電子機器に実行させる制御方法であって、
前記表示部上から前記表示部外への前記視線位置の移動を検出するステップと、
前記視線位置の移動が検出されるのに同期して前記圧力が検出された場合には、前記視線位置の移動の方向に対応するフリック操作として処理するステップと
を含む制御方法。
【請求項５】
表示部と、視線位置の移動を検出する視線検出部と、外部からの圧力を検出する圧力検出部とを有する電子機器に実行させる制御方法であって、
前記圧力を検出するステップと、
前記圧力が検出されている間に、前記表示部上から前記表示部外への前記視線位置の移動が検出された場合には、前記視線位置の移動の方向に対応するフリック操作として処理するステップと
を含む制御方法。
【発明の詳細な説明】
【技術分野】
【０００１】
本出願は、電子機器及び制御方法に関する。
【背景技術】
【０００２】
従来、コンピュータを操作するインターフェースとして、視線の動きを使用し、画面上のアイコンをポインティングすることで座標を検出し、携帯端末へ操作を伝達する、視線入力がある（特許文献１参照）。
【先行技術文献】
【特許文献】
【０００３】
【特許文献１】特開２００１−１００９０３号公報
【発明の概要】
【発明が解決しようとする課題】
【０００４】
タッチスクリーンのように、タッチジェスチャにより操作を行う電子機器では、上記特許文献１に開示の技術であっても、例えば、左手に携帯端末を持ち、さらに右手がふさがっているような場合、タッチジェスチャによって携帯端末へ操作を伝達することが困難である。
【０００５】
上記のことから、タッチジェスチャができない状況における操作性（例えばフリック）を向上させた電子機器及び制御方法を提供する必要がある。
【課題を解決するための手段】
【０００６】
１つの態様に係る電子機器は、表示部と、視線位置の移動を検出する視線検出部と、外部からの圧力を検出する圧力検出部と、前記表示部上から前記表示部外への前記視線位置の移動が前記視線検出部により検出されるのに同期して前記圧力検出部により前記圧力が検出された場合には、前記視線位置の移動の方向に対応するフリック操作として処理する制御部とを有する。
【０００７】
１つの態様に係る電子機器は、表示部と、視線位置の移動を検出する視線検出部と、外部からの圧力を検出する圧力検出部と、前記圧力検出部により前記圧力が検出されている間に、前記表示部上から前記表示部外への前記視線位置の移動が前記視線検出部により検出された場合には、前記視線位置の移動の方向に対応するフリック操作として処理する制御部とを有する。
【０００８】
１つの態様に係る制御方法は、表示部と、視線位置の移動を検出する視線検出部と、外部からの圧力を検出する圧力検出部とを有する電子機器に実行させる制御方法であって、前記表示部上から前記表示部外への前記視線位置の移動を検出するステップと、前記視線位置の移動が検出されるのに同期して前記圧力が検出された場合には、前記視線位置の移動の方向に対応するフリック操作として処理するステップとを含む。
【０００９】
１つの態様に係る制御方法は、表示部と、視線位置の移動を検出する視線検出部と、外部からの圧力を検出する圧力検出部とを有する電子機器に実行させる制御方法であって、前記圧力を検出するステップと、前記圧力が検出されている間に、前記表示部上から前記表示部外への前記視線位置の移動が検出された場合には、前記視線位置の移動の方向に対応するフリック操作として処理するステップとを含む。
【図面の簡単な説明】
【００１０】
【図１】図１は、実施形態１に係るスマートフォンの機能構成を示すブロック図である。
【図２】図２は、実施形態１に係るスマートフォンにより実行される処理の例を説明するための図である。
【図３】図３は、実施形態１に係るスマートフォンにより実行される処理の例を説明するための図である。
【図４】図４は、実施形態１に係るスマートフォンにより実行される処理の例を説明するための図である。
【図５】図５は、実施形態１に係るスマートフォンにより実行される処理の例を説明するための図である。
【図６】図６は、実施形態１に係るスマートフォンによる処理の流れを示すフローチャートである。
【図７】図７は、実施形態２に係るスマートフォンによる処理の流れを示すフローチャートである。
【発明を実施するための形態】
【００１１】
本出願に係る電子機器および制御方法を実施するための実施形態を、図面を参照しつつ詳細に説明する。以下では、本出願に係る電子機器の一例として、スマートフォンについて説明する。
【００１２】
（実施形態１）
図１を参照しつつ、実施形態に係るスマートフォン１の機能構成の一例を説明する。図１は、実施形態１に係るスマートフォンの機能構成を示すブロック図である。以下の説明においては、同様の構成要素に同一の符号を付すことがある。さらに、重複する説明は省略することがある。
【００１３】
図１に示すように、スマートフォン１は、タッチスクリーンディスプレイ２と、ボタン３と、照度センサ４と、近接センサ５と、通信ユニット６と、レシーバ７と、マイク８と、ストレージ９と、コントローラ１０と、スピーカ１１と、カメラ１２と、赤外線照射部１３と、コネクタ１４と、加速度センサ１５と、方位センサ１６と、圧力検出センサ１７とを備える。
【００１４】
タッチスクリーンディスプレイ２は、ディスプレイ２Ａと、タッチスクリーン２Ｂとを有する。ディスプレイ２Ａ及びタッチスクリーン２Ｂは、例えば、重ねて配置されてもよいし、並べて配置されてもよいし、離して配置されてもよい。ディスプレイ２Ａとタッチスクリーン２Ｂとが重ねて配置される場合、例えば、ディスプレイ２Ａの１ないし複数の辺がタッチスクリーン２Ｂのいずれの辺とも沿っていなくてもよい。タッチスクリーンディスプレイ２は、表示部の一例である。
【００１５】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等を表示する。ディスプレイ２Ａが表示する文字、画像、記号、及び図形等を含む画面には、ロック画面と呼ばれる画面、ホーム画面と呼ばれる画面、アプリケーションの実行中に表示されるアプリケーション画面が含まれる。ホーム画面は、デスクトップ、待受画面、アイドル画面、標準画面、アプリ一覧画面又はランチャー画面と呼ばれることもある。
【００１６】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等（以下、単に「指」という）がタッチスクリーン２Ｂ（タッチスクリーンディスプレイ２）に接触したときのタッチスクリーン２Ｂ上の位置（以下、接触位置と表記する）を検出することができる。タッチスクリーン２Ｂは、タッチスクリーン２Ｂに対する指の接触を、接触位置とともにコントローラ１０に通知する。タッチスクリーン２Ｂは、接触位置検出部の一例である。
【００１７】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下の説明では、説明を簡単にするため、利用者はスマートフォン１を操作するために指を用いてタッチスクリーン２Ｂに接触するものと想定する。なお、本願の実施形態においては、利用者がタッチスクリーン２Ｂに接触できない場合を想定しているものであり、本願の実施形態の説明で利用者がタッチスクリーン２Ｂに接触して操作することはない。
【００１８】
コントローラ１０（スマートフォン１）は、タッチスクリーン２Ｂにより検出された接触、接触が検出された位置、接触が検出された位置の変化、接触が検出された間隔、及び接触が検出された回数の少なくとも１つに基づいて、ジェスチャの種別を判別する。ジェスチャは、指を用いて、タッチスクリーン２Ｂ（タッチスクリーンディスプレイ２）に対して行われる操作である。コントローラ１０（スマートフォン１）が、タッチスクリーン２Ｂを介して判別するジェスチャには、例えば、タッチ、ロングタッチ、リリース、スワイプ、タップ、ダブルタップ、ロングタップ、ドラッグ、フリック、ピンチイン、及びピンチアウトが含まれるが、これらに限定されない。なお、本願の実施形態においては特にフリックを例に説明をする。
【００１９】
ボタン３は、利用者からの操作入力を受け付ける。ボタン３の数は、単数であっても、複数であってもよい。
【００２０】
照度センサ４は、照度を検出する。照度は、照度センサ４の測定面の単位面積に入射する光束の値である。照度センサ４は、例えば、ディスプレイ２Ａの輝度の調整に用いられる。照度センサ４は、照度検出部の一例である。
【００２１】
近接センサ５は、近隣の物体の存在を非接触で検出する。近接センサ５は、磁界の変化又は超音波の反射波の帰還時間の変化等に基づいて物体の存在を検出する。近接センサ５は、例えば、ディスプレイ２Ａが顔に近づけられたことを検出する。照度センサ４及び近接センサ５は、１つのセンサとして構成されていてもよい。照度センサ４は、近接センサとして用いられてもよい。
【００２２】
通信ユニット６は、無線により通信する。通信ユニット６によってサポートされる無線通信規格には、例えば、２Ｇ、３Ｇ、４Ｇ等のセルラーフォンの通信規格と、近距離無線の通信規格がある。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。近距離無線の通信規格としては、例えば、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）、ＷＰＡＮ（Ｗｉｒｅｌｅｓｓ  Ｐｅｒｓｏｎａｌ  Ａｒｅａ  Ｎｅｔｗｏｒｋ）等がある。ＷＰＡＮの通信規格には、例えば、ＺｉｇＢｅｅ（登録商標）がある。通信ユニット６は、上述した通信規格の１つ又は複数をサポートしていてもよい。
【００２３】
レシーバ７は、音出力部である。レシーバ７は、コントローラ１０から送信される音信号を音として出力する。レシーバ７は、例えば、通話時に相手の声を出力するために用いられる。マイク８は、音入力部である。マイク８は、利用者の声等を音信号へ変換してコントローラ１０へ送信する。
【００２４】
ストレージ９は、プログラム及びデータを記憶する。ストレージ９は、コントローラ１０の処理結果を一時的に記憶する作業領域としても利用される。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２５】
ストレージ９に記憶されるプログラムには、フォアグランド又はバックグランドで実行されるアプリケーションと、アプリケーションの動作を支援する制御プログラム（図示略）とが含まれる。フォアグランドで実行されるアプリケーションは、例えば、ディスプレイ２Ａに画面が表示される。制御プログラムには、例えば、ＯＳが含まれる。アプリケーション及び基本プログラムは、通信ユニット６による無線通信又は非一過的な記憶媒体を介してストレージ９にインストールされてもよい。
【００２６】
ストレージ９は、視線検出プログラム９Ａ、操作判別プログラム９Ｂ、電話アプリケーション９Ｃ、設定データ９Ｚなどを記憶する。
【００２７】
視線検出プログラム９Ａは、利用者の視線位置の移動を検出するための機能を提供する。なお、視線位置は、利用者の眼球内にある瞳孔の中心位置を起点として直線的に延伸する視線がタッチスクリーンディスプレイ２と交差するときのタッチスクリーンディスプレイ２上の位置に該当する。
【００２８】
視線検出プログラム９Ａは、次のように、上記視線位置を検出する。すなわち、視線検出プログラム９Ａは、利用者の画像に対して角膜反射法に基づくアルゴリズムを適用することにより、上記視線位置を検出する。具体的には、視線検出プログラム９Ａは、利用者の画像を取得する際に、赤外線照射部１３から赤外線を照射させる。視線検出プログラム９Ａは、取得した利用者の画像から、瞳孔の位置と赤外線の角膜反射の位置をそれぞれ特定する。視線検出プログラム９Ａは、瞳孔の位置と赤外線の角膜反射の位置の位置関係に基づいて、利用者の視線の方向を特定する。視線検出プログラム９Ａは、瞳孔の位置が角膜反射の位置よりも目尻側にあれば、視線の方向は目尻側であると判定し、瞳孔の位置が角膜反射の位置よりも目頭側にあれば、視線の方向は目頭側であると判定する。視線検出プログラム９Ａは、例えば、虹彩の大きさに基づいて、利用者の眼球とタッチスクリーンディスプレイ２との距離を算出する。視線検出プログラム９Ａは、利用者の視線の方向と、利用者の眼球とタッチスクリーンディスプレイ２との距離とに基づいて、利用者の眼球内にある瞳孔の中心位置から、瞳孔を起点とする視線がタッチスクリーンディスプレイ２と交差するときのタッチスクリーンディスプレイ２上の位置である視線位置を検出する。
【００２９】
視線検出プログラム９Ａは、上記視線位置の検出を再帰的に実行することにより、視線位置の移動を検出する。視線検出プログラム９Ａは、例えば、タッチスクリーンディスプレイ２上の表示領域からタッチスクリーンディスプレイ２の表示領域外への上記視線位置の移動を検出する。
【００３０】
上記の例では、視線検出プログラム９Ａが、角膜反射法を利用した処理を実行することにより、利用者の視線位置を検出する場合を説明したが、この例には限られない。例えば、視線検出プログラム９Ａが、利用者の画像について画像認識処理を実行することにより、上記視線位置を検出するようにしてもよい。例えば、視線検出プログラム９Ａは、利用者の画像から、利用者の眼球を含む所定の領域を抽出し、目頭と虹彩との位置関係に基づいて視線方向を特定し、特定した視線方向と、利用者の眼球からタッチスクリーンディスプレイ２までの距離とに基づいて、上記視線位置を検出する。あるいは、視線検出プログラム９Ａは、利用者がタッチスクリーンディスプレイ２上の表示領域各所を閲覧しているときの複数の眼球の画像を参照画像としてそれぞれ蓄積しておき、参照画像と、判定対象として取得される利用者の眼球の画像とを照合することにより、上記視線位置を検出する。視線検出プログラム９Ａは、視線検出部の一例である。
【００３１】
操作判別プログラム９Ｂは、上記視線位置の移動に同期して、圧力検出センサ１７により外部からの圧力が検出された場合には、前記視線位置の移動の方向に対応するフリック操作として処理するための機能を提供する。操作判別プログラム９Ｂは、例えば、タッチスクリーンディスプレイ２上の表示領域からタッチスクリーンディスプレイ２の表示領域外への上記視線位置の移動を検出した場合には、当該視線位置の移動の方向に対応するフリック操作が利用者により行われたものとして内部的に処理する。
【００３２】
電話アプリケーション９Ｃは、無線通信による通話のための通話機能を提供する。
【００３３】
設定データ９Ｚは、視線検出プログラム９Ａ、及び操作判別プログラム９Ｂにより提供される機能に基づいて実行される処理に用いられる各種データを含んで構成される。
【００３４】
コントローラ１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−Ｃｈｉｐ）、ＭＣＵ（Ｍｉｃｒｏ  Ｃｏｎｔｒｏｌ  Ｕｎｉｔ）、ＦＰＧＡ（Ｆｉｅｌｄ−Ｐｒｏｇｒａｍｍａｂｌｅ  Ｇａｔｅ  Ａｒｒａｙ）、およびコプロセッサを含むが、これらに限定されない。コントローラ１０は、スマートフォン１の動作を統括的に制御して各種の機能を実現する。コントローラ１０は、制御部の一例である。
【００３５】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２Ａ、通信ユニット６、マイク８、スピーカ１１、及び赤外線照射部１３を含むが、これらに限定されない。コントローラ１０は、検出部の検出結果に応じて、制御を変更することがある。検出部は、例えば、タッチスクリーン２Ｂ、ボタン３、照度センサ４、近接センサ５、マイク８、カメラ１２、加速度センサ１５、方位センサ１６、及び圧力検出センサ１７を含むが、これらに限定されない。
【００３６】
コントローラ１０は、視線検出プログラム９Ａ、及び操作判別プログラム９Ｂを実行することにより、次の処理を実行する。すなわち、コントローラ１０は、タッチスクリーンディスプレイ２上の表示領域からタッチスクリーンディスプレイ２の表示領域外への上記視線位置の移動を検出した場合には、当該視線位置の移動の方向に対応するフリック操作が利用者により行われたものとして内部的に処理する。
【００３７】
以下、図２〜図５を用いて、実施形態１に係るスマートフォン１により実行される処理の例を説明する。図２〜図５は、実施形態１に係るスマートフォン１により実行される処理の例を説明するための図である。図２〜図５に示す例では、利用者の手Ｈ１によりスマートフォン１が握られている状態を示す。
【００３８】
図２に示すように、スマートフォン１は、タッチスクリーンディスプレイ２の表示領域上から、タッチスクリーンディスプレイ２の表示領域外への視線位置の移動が検出されるのに同期して外部からの圧力を検出すると、視線位置の移動の方向ｄ１に対応するフリック操作が行われたものとして内部的に処理する。
【００３９】
また、図３に示すように、スマートフォン１は、タッチスクリーンディスプレイ２の表示領域上から、タッチスクリーンディスプレイ２の表示領域外への視線位置の移動が検出されるのに同期して外部からの圧力を検出すると、視線位置の移動の方向ｄ２に対応するフリック操作が行われたものとして内部的に処理する。
【００４０】
また、図４に示すように、スマートフォン１は、タッチスクリーンディスプレイ２の表示領域上から、タッチスクリーンディスプレイ２の表示領域外への視線位置の移動が検出されるのに同期して外部からの圧力を検出すると、視線位置の移動の方向ｄ３に対応するフリック操作が行われたものとして内部的に処理する。
【００４１】
また、図５に示すように、スマートフォン１は、タッチスクリーンディスプレイ２の表示領域上から、タッチスクリーンディスプレイ２の表示領域外への視線位置の移動が検出されるのに同期して外部からの圧力を検出すると、視線位置の移動の方向ｄ４に対応するフリック操作が行われたものとして内部的に処理する。
【００４２】
スピーカ１１は、音出力部である。スピーカ１１は、コントローラ１０から送信される音信号を音として出力する。スピーカ１１は、例えば、着信音及び音楽を出力するために用いられる。レシーバ７及びスピーカ１１の一方が、他方の機能を兼ねてもよい。
【００４３】
カメラ１２は、撮影した画像を電気信号へ変換する。カメラ１２は、ディスプレイ２Ａに面している物体を撮影するインカメラである。カメラ１２は、例えば、タッチスクリーンディスプレイ２に視線を向ける利用者の眼球の画像を撮影する。カメラ１２は、インカメラ及びアウトカメラを切り換えて利用可能なカメラユニットとしてスマートフォン１に実装されてもよい。赤外線照射部１３は、カメラ１２により実行される撮影に同期して、赤外線を照射する。
【００４４】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００４５】
加速度センサ１５は、スマートフォン１に作用する加速度の方向及び大きさを検出する。方位センサ１６は、例えば、地磁気の向きを検出し、地磁気の向きに基づいて、スマートフォン１の向き（方位）を検出する。
【００４６】
圧力検出センサ１７は、外部からの圧力を検出する。圧力検出センサ１７が検出する圧力には、スマートフォン１の筐体に対して利用者により加えられた力が含まれる。圧力検出センサ１７は、例えば、スマートフォン１の筐体の側面部（長手方向の側面）に配置することができる。圧力検出センサ１７は、スマートフォン１の筐体の側面部全体に配置してもよいし、側面部に部分的に配置してもよい。圧力検出センサ１７は、圧力検出部の一例である。
【００４７】
スマートフォン１は、上記の各機能部の他、ＧＰＳ受信機、及びバイブレータを備えてもよい。ＧＰＳ受信機は、ＧＰＳ衛星からの所定の周波数帯の電波信号を受信し、受信した電波信号の復調処理を行って、処理後の信号をコントローラ１０に送出する。バイブレータは、スマートフォン１の一部又は全体を振動させる。バイブレータは、振動を発生させるために、例えば、圧電素子、又は偏心モータなどを有する。図１には示していないが、バッテリなど、スマートフォン１の機能を維持するために当然に用いられる機能部はスマートフォン１に実装される。
【００４８】
図６を参照しつつ、実施形態１に係るスマートフォン１による処理の流れを説明する。図６は、実施形態１に係るスマートフォン１による処理の流れを示すフローチャートである。図６に示す処理は、コントローラ１０が、ストレージ９に記憶されている視線検出プログラム９Ａ及び操作判別プログラム９Ｂなどを実行することにより実現される。
【００４９】
図６に示すように、コントローラ１０は、タッチスクリーンディスプレイ２上に視線位置を検出したかを判定する（ステップＳ１０１）。
【００５０】
コントローラ１０は、判定の結果、タッチスクリーンディスプレイ２上に視線位置を検出した場合には（ステップＳ１０１，Ｙｅｓ）、タッチスクリーンディスプレイ２の表示領域外への視線位置の移動を検出したかを判定する（ステップＳ１０２）。
【００５１】
コントローラ１０は、判定の結果、タッチスクリーンディスプレイ２の表示領域外への視線位置の移動を検出した場合には（ステップＳ１０２，Ｙｅｓ）、視線位置の移動に同期して圧力が検出されたかを判定する（ステップＳ１０３）。
【００５２】
コントローラ１０は、判定の結果、視線位置の移動に同期して圧力が検出された場合には（ステップＳ１０３，Ｙｅｓ）、視線位置の移動の方向に対応するフリック操作として処理し（ステップＳ１０４）、上記ステップＳ１０１の処理手順に戻る。
【００５３】
上記ステップＳ１０３において、コントローラ１０は、判定の結果、視線位置の移動に同期して圧力が検出されない場合には（ステップＳ１０３，Ｎｏ）、上記ステップＳ１０１の処理手順に戻る。
【００５４】
上記ステップＳ１０２において、コントローラ１０は、判定の結果、タッチスクリーンディスプレイ２の表示領域外への視線位置の移動を検出しない場合には（ステップＳ１０２，Ｎｏ）、上記ステップＳ１０１の処理手順に戻る。
【００５５】
上記ステップＳ１０１において、コントローラ１０は、判定の結果、タッチスクリーンディスプレイ２上に視線位置を検出しない場合には（ステップＳ１０１，Ｎｏ）、同判定を繰り返し実行する。
【００５６】
上記図６に示す処理は、タッチスクリーンディスプレイ２にロック画面以外の画面が表示されている間、繰り返し実行してもよい。上記図６に示す処理は、タッチスクリーンディスプレイ２にロック画面以外の画面が表示されている間、繰り返し実行する場合に限られない。例えば、利用者が、上記図６に示す処理を実行するか否かについて任意に設定してもよい。
【００５７】
上記の実施形態１では、スマートフォン１は、視線位置の移動に同期して圧力が検出された場合には、視線位置の移動の方向に対応するフリック操作として処理する。このため、実施形態１によれば、例えば、左手にスマートフォン１を持ち、さらに右手が手荷物等でふさがっているような場合であっても、スマートフォン１へ操作を伝達できる。これにより、スマートフォン１の操作性を向上できる。
【００５８】
（実施形態２）
上記の実施形態１では、視線位置の移動に同期して圧力が検出された場合、視線位置の移動の方向に対応するフリック操作として処理する例を説明したが、これには限定されない。例えば、圧力が検出されている間に、視線位置の移動が検出された場合にも、視線位置の移動の方向に対応するフリック操作として処理してもよい。実施形態２に係るスマートフォン１の機能構成は、以下に説明する点が実施形態１とは異なる。
【００５９】
操作判別プログラム９Ｂは、圧力検出部１７により外部からの圧力が検出されている間に、タッチスクリーンディスプレイ２の表示領域上からタッチスクリーンディスプレイ２の表示領域外への視線位置の移動が検出された場合には、当該視線位置の移動の方向に対応するフリック操作として処理するための機能を提供する。
【００６０】
コントローラ１０は、視線検出プログラム９Ａ、及び操作判別プログラム９Ｂを実行することにより、次の処理を実行する。すなわち、コントローラ１０は、圧力検出部１７により外部からの圧力が検出されている間に、タッチスクリーンディスプレイ２の表示領域上からタッチスクリーンディスプレイ２の表示領域外への視線位置の移動が検出された場合には、当該視線位置の移動の方向に対応するフリック操作が利用者により行われたものとして内部的に処理する。
【００６１】
図７を参照しつつ、実施形態２に係るスマートフォン１による処理の流れを説明する。図７は、実施形態２に係るスマートフォン１による処理の流れを示すフローチャートである。図７に示す処理は、コントローラ１０が、ストレージ９に記憶されている視線検出プログラム９Ａ及び操作判別プログラム９Ｂなどを実行することにより実現される。
【００６２】
コントローラ１０は、圧力が検出されたかを判定する（ステップＳ２０１）。
【００６３】
コントローラ１０は、判定の結果、圧力が検出された場合には（ステップＳ２０１，Ｙｅｓ）、タッチスクリーンディスプレイ２上に視線位置を検出したかを判定する（ステップＳ２０２）。
【００６４】
コントローラ１０は、判定の結果、タッチスクリーンディスプレイ２上に視線位置を検出した場合には（ステップＳ２０２，Ｙｅｓ）、タッチスクリーンディスプレイ２の表示領域外への視線位置の移動を検出したかを判定する（ステップＳ２０３）。
【００６５】
コントローラ１０は、判定の結果、タッチスクリーンディスプレイ２の表示領域外への視線位置の移動を検出した場合には（ステップＳ２０３，Ｙｅｓ）、視線位置の移動の方向に対応するフリック操作として処理し（ステップＳ２０４）、上記ステップＳ２０１の処理手順に戻る。
【００６６】
上記ステップＳ２０３において、コントローラ１０は、判定の結果、タッチスクリーンディスプレイ２の表示領域外への視線位置の移動を検出しない場合には（ステップＳ２０３，Ｎｏ）、上記ステップＳ２０１の処理手順に戻る。
【００６７】
上記ステップＳ２０２において、コントローラ１０は、判定の結果、タッチスクリーンディスプレイ２上に視線位置を検出しない場合には（ステップＳ２０２，Ｎｏ）、上記ステップＳ２０１の処理手順に戻る。
【００６８】
上記ステップＳ２０１において、コントローラ１０は、判定の結果、圧力が検出されない場合には（ステップＳ２０１，Ｎｏ）、同判定を繰り返し実行する。
【００６９】
上記図７に示す処理は、タッチスクリーンディスプレイ２にロック画面以外の画面が表示されている間、繰り返し実行してもよい。上記図７に示す処理は、タッチスクリーンディスプレイ２にロック画面以外の画面が表示されている間、繰り返し実行する場合に限られない。例えば、利用者が、上記図７に示す処理を実行するか否かについて任意に設定してもよい。
【００７０】
上記の実施形態では、添付の請求項に係る装置の例として、スマートフォン１について説明したが、添付の請求項に係る装置は、スマートフォン１に限定されない。添付の請求項に係る装置は、スクリーンを有する電子機器であれば、スマートフォン以外の装置であってもよい。
【００７１】
添付の請求項に係る技術を完全かつ明瞭に開示するために特徴的な実施形態に関し記載してきた。しかし、添付の請求項は、上記の実施形態に限定されるべきものでなく、本明細書に示した基礎的事項の範囲内で当該技術分野の当業者が創作しうるすべての変形例及び代替可能な構成により具現化されるべきである。
【符号の説明】
【００７２】
１  スマートフォン
２  タッチスクリーンディスプレイ
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  視線検出プログラム
９Ｂ  操作判別プログラム
９Ｃ  電話アプリケーション
９Ｚ  設定データ
１０  コントローラ
１１  スピーカ
１２  カメラ
１３  赤外線照射部
１４  コネクタ
１５  加速度センサ
１６  方位センサ
１７  圧力検出センサ
【図１】
2016136351.tif 000003
【図２】
2016136351.tif 000004
【図３】
2016136351.tif 000005
【図４】
2016136351.tif 000006
【図５】
2016136351.tif 000007
【図６】
2016136351.tif 000008
【図７】
2016136351.tif 000009